(57)【特許請求の範囲】
【請求項１】
ファイバーウエブを製作又は加工する機械の解巻部に在るフライ上で第１ロールのウエブリーダーを第２ロールから解巻されるウエブにつなぐ方法において、
モーターかブレーキとして選択的に働き得る駆動ユニットにより、第１ロールの周速度と第２ロールから解巻されるウエブの速度とがほぼ等しくなるように第１ロールを回転させるステップと、
前記駆動ユニットとは別に第１ロールの回転数を変えるモーターとして作用する付加駆動装置により第１ロールを回転させるステップと、
変更された前記回転数によって前記のモーター運転から前記のブレーキ運転へ前記駆動ユニットを切り換えるステップと、
第１ロールのウエブリーダーと第２ロールのウエブ端との間をフライングスプライスするステップと、を備えたことを特徴とする方法。
【請求項２】
前記のフライングスプライスするステップは、前記の駆動ユニットを切り換えるステップの後に実行されるようになっている請求項１に記載の方法。
【請求項３】
第１ロール及び第２ロールと、フライ上で第１ロールのウエブリーダーを第２ロールのウエブ端につなぐための装置とを含む、繊維ウエブの解巻部において、
第１ロールを回転させるため該第１ロールに結合されていてモーター又はブレーキとして選択的に働き得る駆動ユニットと、
第１ロールと作用的に関連せしめられた回転数制御装置と、
第１ロールと作用的に関連せしめられたウエブ張力制御装置と、
前記駆動ユニットを制御するための駆動ユニット制御装置と、
前記回転数制御装置又は前記ウエブ張力制御装置を前記駆動ユニット制御装置と選択的に連結させるための切り換え装置と、
前記駆動ユニットとは別に前記第１ロールに結合されていてモーターとして作用し得る付加駆動装置とを備えていることを特徴とする繊維ウエブの解巻部。
【請求項４】
前記駆動ユニットにより前記第１ロールを加速させている間中又は加速後に前記付加駆動装置を稼働させ、且つ前記フライ上でのつなぎ操作の間前記付加駆動装置を停止させるためのスイッチを更に備えている、請求項３に記載の繊維ウエブの解巻部。
【請求項５】
前記付加駆動装置に接続されて該付加駆動装置を制御する出力制御装置を更に備えている、請求項３に記載の繊維ウエブの解巻部。
【請求項６】
前記切り換え装置は、前記フライ上でのつなぎ操作に先立って前記駆動ユニット制御装置を前記回転数制御装置に接続させ、又、前記フライ上でのつなぎ操作終了後に前記駆動ユニット制御装置を前記ウエブ張力制御装置に接続させるようになっている、請求項３に記載の繊維ウエブの解巻部。
【請求項７】
第１ロール及び第２ロールと、フライ上で第１ロールのウエブリーダーを第２ロールのウエブ端につなぐための装置とを含む繊維ウエブの解巻部において、
第１ロールを回転させるため該第１ロールに結合されていてモーターかブレーキとして選択的に働き得る駆動ユニットと、
前記駆動ユニットを制御するための駆動ユニット制御装置と、
第１ロールと作用的に関連せしめられた回転数制御装置と、
前記回転数制御装置を前記駆動ユニット制御装置に選択的に接続させるための切り換え装置と、
前記駆動ユニットとは独立して第１ロールに結合されていて、モーターとして作用し得る付加駆動装置とを備えていることを特徴とする繊維ウエブの解巻部。
【発明の詳細な説明】
【０００１】
【産業上の利用分野】
本発明は、ファイバーウエブを製作又は加工する機械の解巻部においてフライングスプライスを行う方法、特に、フライ上で新しいウエブロール（第１ロール）のウエブリーダーを、処理のためにウエブが解巻されつつある（殆ど消費つくされた）先行のウエブロール（第２ロール）のウエブ端につなぐ方法と装置に関する。
【０００２】
【従来の技術】
フライングスプライスを行う方法は、ペーパーコーターの解巻部か、ペーパーウエブの処理又は加工に役立つその他の機械において、利用される。２つのウエブのつなぎ合わせは完全な運転速度において行われなければならないから、非常に精密な制御が必要である。その運転速度というのは毎分１５００米に達し、平均して高い値をとる。このつなぎ合わせ作業は、製紙業界では多くの場合「フライングスプライス」と呼ばれている。フライングスプライスを行うための設備の一例は、出版物フォイト（Ｖｏｉｔｈ  Ｐｕｂｌｉｃａｔｉｏｎ  ）の第２８２７頁に掲載されている。
【０００３】
フライングスプライスを行うに当たっては、駆動ユニットにより第１ロールが回転されて、その周速度を出来るだけ正確に機械の瞬間作業速度に適合させ、解巻されたウエブが第２ロールから十分に離れるようにすることが知られている。その他の必要条件は、解巻されつつあるウエブに常に或る大きさの縦方向張力（ウエブの引っ張り）を維持させることを可能にするブレーキ装置を特徴とするということである。通常、少なくとも第１ロールにはモーターとして或いはブレーキとして選択的に働き得る駆動ユニットが設けられている。然し、第１ロールの駆動ユニットは、第２ロールのウエブ端への第１ロールのウエブリーダーのフライングスプライスが行われるまでは、第１ロールから解巻されるウエブ上に所望の引張りを生じさせ得ないということを理解すべきである。
【０００４】
駆動ユニットは、好ましくは、電気機械であるか、場合によってはブレーキ作用に切り換えられ得る油圧機械である。
【０００５】
【発明が解決しようとする課題】
ところで、従来の方法においては、第１ロールから解巻されるウエブ内に十分な速さで所望の引張りが生じないという難点があるということである。
本発明は、従来の技術の有するこのような問題点に鑑みてなされたものであり、その目的とするところは、冒頭に述べた方法を改良して上述のようなウエブの引張りの一時的な崩壊が回避されるようにしたことにある。
【０００６】
【課題を解決するための手段及び作用】
本発明の１つの特徴によれば、第１ロールの駆動ユニットが第１ロールを加速した時又は第１ロールの周速度が機械速度に出来るだけ近い速度に達した後、付加駆動装置が第１ロール用の駆動ユニットとは関係なしに第１ロールに係合せしめられるということである。その結果、第１ロールの周速度は過大値になろうとするので、第１ロール用の駆動ユニットと整合的に作用する回転数制御装置は、第１ロール用駆動ユニットを常にフライングスプライス前にブレーキ作用（例えば、再生作用）へ切り換えて、第１ロール用駆動ユニットが  −要求されたように−  製紙機械の速度に対して可能な限り正確に第１ロールの周速度を適合させるようにする。
【０００７】
本発明によれば、第１ロール用駆動ユニットのモーター作用からブレーキ作用への切り換えは従来技術の場合よりも迅速に行われる。即ち、フライングスプライスと同時又はその直後だけでなしに、フライングスプライスよりも或る時間前に既に切り換えが行われる。次に、フライングスプライスと同時に第１ロール用駆動ユニットが今まで有効であった回転数制御装置から切り離されて、代わりにウエブ引張り制御装置へ結合されると、ブレーキ作用中の該駆動ユニットは直ちに所望のウエブの引張りを調節する状態となる。このようにして、ウエブの引張りを一時的に崩壊する従来方法における如き問題点は完全に回避されるか、少なくとも極めて広範囲に亘って回避される。
【０００８】
本発明方法を実施するのに役立つ装置は、基本的には、新しいウエブロール（第１ロール）と先行のウエブロール（第２ロール）の各々を支持する支持体と、フライ上で第１ロールのウエブリーダーを第２ロールのウエブ端につなぐための装置とを特徴とする、ウエブ特に紙ウエブ用解巻部を含んでいる。以後、この装置は所謂フライングスプライスとして引用される。この装置の更なる特徴は、
ａ）  第１ロールに結合され得るモーター又はブレーキとして選択的に働き得る駆動ユニットと、
ｂ）  切り換え装置により駆動ユニットに選択的に結合され得る回転数制御装置即ちウエブ引張り制御装置
にある。
【０００９】
本発明によれば、第１ロールに対し上記駆動ユニットとは別に（好ましくは専らモーターとして働く）付加駆動装置が結合されている。
この付加駆動装置は、駆動ユニットにより第１ロールが加速されている間中又は加速後に第１ロールから切り離され、且つ少なくともつなぎ操作中は再び第１ロールから切り離される切り換え装置を含んでいる。
本発明の好適実施例では、付加駆動装置は出力制御装置により制御され得る。特定出力の調節は、遅延用駆動ユニットのブレーキ出力が、つなぎ操作前既に、（つなぎ後）所望のウエブ引張り力に少なくとも略対応する特定のブレーキ出力にセットされるのを、間接的に達成することを可能にする。
【００１０】
【実施例】
本発明の上述の特徴及び利点並びにその他の特徴及び利点、並びにそれらを達成する方法は、添付図面に示された本発明実施例の下記説明により一層明らかになると共に、一層十分に理解されるであろう。
図１は一般的に用いられている紙ウエブ解巻部の側面図、図２は図１に示された解巻部に適用される制御装置の接続状態を示す概略図である。
【００１１】
図１には、解巻用旋回アーム１２により支持され且つ図示しない加工機械例えばコーターへ向って紙ウエブ９を解巻する第２ロール１１を備えた第２の巻胴１０が示されている。解巻された紙ウエブ９はガイドローラー１３とつなぎ用ローラー１４上を進行する。静止した完全な第１ローラー１６を備えた第１の巻胴１５は利用可能な状態に置かれている。
【００１２】
第２ロール１１のウエブ端が第２の巻胴１０から解巻される前に、第１ロール１６は、第２ロール１１からのウエブ９の解巻速度に出来る限り近い速度に相当する周速度になるように回転せしめられる。次に、第１ロール１６のウエブリーダーと第２ロール１１のウエブ端が、フライ上で即ち完全な機械速度でつなぎ用ローラー１４により公知の方法で、第２ロールの残りのウエブを役立てながら、つなぎ合わされる。旋回アーム１２から第２の巻胴が外されると、該旋回アームは第１ロール１６を有する第１の巻胴を受け取る。
【００１３】
図２には、第１ロール１６と該第１ロールに結合された駆動ユニットＭとを有する第１の巻胴１５が示されている。この駆動ユニットＭは、該駆動ユニットの回転速度を制御し且つ駆動ユニットＭをモーター作用から再生作用（即ちブレーキ作用）又は再生作用からモーター作用へ切り換え得る制御装置２０に接続されている。制御装置２０は、配線２１，２２，２３を介して、回転数制御装置２４又はウエブ引張り制御装置２５の何れかから制御信号を受け取る。第１の巻胴１５の実際の回転数値は、配線２６を介して測定装置４０から回転数制御装置へ送られ、また配線２７を介して回転数セットポイントへ送られる。
【００１４】
このセットポイントは、セットポイントフォーマー２８において、配線２９を介して送られ、可変の機械速度Ｖと配線３０を介して送られる第１ロール１６の直径Ｄとから構成される。ウエブの引張り制御装置２５は、配線３１を介して、ウエブ引張り測定装置３２から実際の引張り値を受け取り、配線３３を介して（セットポイントエンコーダー４１から）調節可能なウエブ引張りセットポイントを受け取る。切り換え装置３４は、回転数制御装置２４の出力配線２２又はウエブ引張り制御装置２５の出力配線２３の何れかを制御配線２１へ接続することを可能にし、図示した位置で配線２１と２２を接続させている。配線２１中には常開型のスイッチ３５が含まれている。
【００１５】
本発明によれば、付加駆動装置Ｍ′が第１の巻胴１５に結合されていて、スイッチ３７を含む配線３６を介して稼働せしめられ得るようになっており、且つ付加駆動装置Ｍ′は制御ユニット３８と出力制御装置３９により制御され得るようになっている。実際の値は、出力測定装置４２から出力制御装置３９へ送られ、またセットポイントはセットポイントエンコーダー４３から送られる。
【００１６】
フライングスプライスにおいては下記の制御動作が連続的に行われる。
１．スイッチ３５が閉じられると、駆動ユニットＭは第１ロール１６を回転せしめ、第１ロール１６は回転数制御装置２４により制御される。
２．スイッチ３７が付加駆動装置Ｍ′を稼働させるため閉じられる。その結果、第１ロール１６の実際の回転数の値はセットポイントを越え勝となる。これに応答して回転数制御装置２４は制御装置２０を介して駆動ユニットＭをモーター作用からブレーキ作用へ切り換える。出力制御装置３９によりセットされた付加駆動装置Ｍ′の出力レベルは、駆動ユニットＭのブレーキ出力のレベルを決定する。
【００１７】３．つなぎ操作と略同時に（例えば、つなぎ操作の直後に）スイッチ３７は再び開かれて、付加駆動装置Ｍ′を遮断する。尚、つなぎ操作の直前或いはその後又はそれと同時に、切り換え装置３４が駆動せしめられて、駆動ユニットＭがウエブ引張り制御装置２５により制御され、直ちに所望の大きさのウエブの引張りが行われる。換言すれば、第２ロール１１のブレーキ装置により予め発生せしめられるウエブの引張りは、駆動ユニットＭにより直ちに維持されるつなぎ操作の後に行われる。それにより、つなぎ操作中の従来観察されたウエブ引張りの崩壊は回避される。
【００１８】切り換え装置３４の駆動は、（好ましくはタイマー４５を介して）制御装置４４から該切り換え装置へ送られる、つなぎを始めさせるのに役立つ信号により、開始される。
【００１９】以上本発明は一好適実施例に基づき説明されたが、本発明はこの実施例に限定されるものではなく、この開示の精神及び範囲内において更なる修正が可能である。従って、本出願人は本発明原理を使用する本発明の如何なる変形，使用又は改作もカバーすることを意図するものである。更に、本出願は、本発明が関係し且つ特許請求の範囲により限定された技術において公知又は慣用の手段に属する如き本願開示内容からの展開もカバーすることを意図するものである。
【００２０】
【発明の効果】
上述の如く本発明によれば、ウエブのつなぎ操作終了後は直ちに所望のウエブ引張り状態となり、高速運転に適するこの種装置を提供することができる。
【図面の簡単な説明】
【図１】一般的に用いられている本発明に係る紙ウエブ解巻部の側面図である。
【図２】図１に示された解巻部用制御装置の各種要素を本発明方法を実施するための付属装置と共に示す概略図である。
【符号の説明】
９            紙ウエブ
１０          第２の巻胴
１１          第２ロール
１２          旋回アーム
１３          ガイドローラー
１４          つなぎ用ローラー
１５          第１の巻胴
１６          第１ロール
２０，４４    制御装置
２１，２２，２３，２６，２７，２９，３０，３１，３３，３６    配線
２４          回転数制御装置
２５          ウエブ引張り制御装置
２８          セットポイントフォーマー
３２          ウエブ引張り測定装置
３４          切り換え装置
３５，３７    スイッチ
３８          制御ユニット
３９          出力制御装置
４０          測定装置
４１，４３    セットポイントエンコーダー
４５          タイマー
Ｍ            駆動ユニット
Ｍ′          付加駆動装置
【図１】
0003548289.tif 000002
【図２】
0003548289.tif 000003